(57)【要約】      （修正有）【課題】ビデオショップ等においてケース入のソフト記録媒体を陳列展示するための商品陳列棚装置を提供する。【解決手段】棚部材５は、両側壁体２、２の間で水平に延びる棚板部１２の下部に前側支持部１４を設けると共に、該棚板部１２の後縁近傍部から起立せしめられた背板部１３の背部に後側支持部１５を設けている。脚台部６の前側孔弧列１０Ａと後側孔弧列１１Ａの相互配列関係は、棚部材５の前側支持部１４を前側孔弧列１０Ａの所定の前側制御孔１０ａに支持ピン４ａを介して支持せしめたとき、棚板部１２の棚面を中心Ｏに向かわしめる後傾姿勢とした状態で、該棚部材５の後側支持部１５が後側孔弧列１１Ａの所定の１つの後側制御孔１１ａにだけ支持ピン４ｂを介して支持せしめられるように構成。【選択図】        図３
2004236719.tif 000002
【特許請求の範囲】
【請求項１】
左右に配置された両側壁体２、２の間に着脱自在な支持ピン４を介して棚部材５を架設し、複数の棚部材５を上下に配置せしめた商品陳列棚装置において、
両側壁体２、２は、少なくとも上下方向中途部よりも下方に位置する脚台部６、６の正面向きの前縁面６ａに、上向きに傾斜するように該商品陳列棚装置の正面前方に中心Ｏを有する円弧面を形成し、
両側壁体２、２における脚台部６、６の相対向する内側面に、前記中心Ｏから半径Ｒ１とする前側円弧ラインＦＣに沿って等間隔で列設された前側制御孔１０ａから成る前側孔弧列１０Ａを形成すると共に、前記中心Ｏから半径Ｒ２（但しＲ１＜Ｒ２）とする後側円弧ラインＲＣに沿って等間隔で列設された後側制御孔１１ａから成る後側孔弧列１１Ａを形成しており、
棚部材５は、両側壁体２、２の間で水平に延びる棚板部１２と、該棚板部の後縁近傍部から起立せしめられた背板部１３を有し、棚板部１２の下部に前側支持部１４を設けると共に、背板部１３の背部に後側支持部１５を設けており、
脚台部６の前側孔弧列１０Ａと後側孔弧列１１Ａの相互配列関係は、棚部材５の前側支持部１４を前側孔弧列１０Ａの所定の前側制御孔１０ａに支持ピン４を介して支持せしめたとき、棚板部１２の棚面を前記中心Ｏに向かわしめる後傾姿勢とした状態で、該棚部材５の後側支持部１５が後側孔弧列１１Ａの所定の１つの後側制御孔１１ａにだけ支持ピン４を介して支持せしめられるように構成されて成ることを特徴とする商品陳列棚装置。
【請求項２】
それぞれ棚面が前記中心Ｏに向かうようにして取付けることにより棚板部１２を上下に間隔をあけて配置された複数段の棚部材は、上段の棚部材の背板部の下部が下段の棚部材の背板部の上部よりも前方に位置するように、棚部材５の棚板部１２と背板部１３の角度θが９０度以下に形成されて成ることを特徴とする請求項１に記載の商品陳列棚装置。
【請求項３】
両側壁体２、２の脚台部６、６から上方に延びる柱部７、７の相対向する内側面に、前側孔弧列１０Ａから鉛直線に沿って等間隔で列設された前孔１０ｂから成る前側孔直列１０Ｂを形成すると共に、後側孔弧列１１Ａから鉛直線に沿って等間隔で列設された後孔１１ｂから成る後側孔直列１１Ｂを形成しており、
柱部７の前側孔直列１０Ｂと後側孔直列１１Ｂの相互配列関係は、棚部材５の前側支持部１４を前側孔直列１０Ｂの所定の前孔１０ｂに支持ピン４を介して支持せしめたとき、棚板部１２の棚面を水平姿勢とした状態で、該棚部材５の後側支持部１５が後側孔直列１１Ｂの所定の１つの後孔１１ｂにだけ支持ピン４を介して支持せしめられるように構成されて成ることを特徴とする請求項１又は２に記載の商品陳列棚装置。
【請求項４】
前側孔弧列１０Ａを構成する前側制御孔１０ａの各孔と、後側孔弧列１１Ａを構成する後側制御孔１１ａの各孔は、支持ピン４のネック部２０を嵌入せしめる径小孔１６の上側に径大孔１７を連通連設せしめたダルマ形の孔を構成すると共に、径大孔１７の中心と径小孔１６の中心を鉛直線上に配置して成ることを特徴とする請求項１、２又は３に記載の商品陳列棚装置。
【発明の詳細な説明】
【０００１】
【発明の属する技術分野】
本発明は、例えば、ビデオカセット、ＣＤ又はＤＶＤ等のディスク、その他、ソフトを収録した記録媒体をケースに収納せしめた商品や、書籍等の商品を店舗において陳列又は展示するための商品陳列棚装置に関する。
【０００２】
【従来の技術】
従来、例えば、レンタルや販売を目的としたビデオショップ等においては、記録媒体をケースに収納せしめた商品を、陳列棚装置の棚に載置列設することにより陳列又は展示し、レンタル又は販売のために供している。
【０００３】
通常、陳列棚装置は、左右に配置された両側壁体の間に着脱自在な支持ピンを介して棚部材を架設した構成であり、多数の棚部材を上下に配置せしめている。この際、棚部材は、ほぼ水平な棚板部と、棚板部の後縁から起立せしめられた背板部を備えている。
【０００４】
そして、上下多段状に配設された棚部材は、その全てが棚板部の棚面を奥行き方向に関して水平な姿勢で取付けられている。
【０００５】
【発明が解決しようとする課題】
陳列棚装置に陳列された商品は、顧客が起立した姿勢で、ほぼ目の高さに位置し又はそれよりも上位の高さに位置する棚部材に関しては、棚部材が棚板部の棚面を奥行き方向に水平姿勢とする場合でも、商品を視認し易く、取出し易い。然しながら、顧客の目の高さから下方になればなるほど、棚部材の棚板部が水平姿勢であると、商品を視認し難く、取出し難くなる。
【０００６】
しかも、下段の棚部材に載置された商品は、顧客が起立姿勢又は中腰姿勢で上方から下向きに視認する場合、上段の棚部材の背後に隠れるので視認し難く、顧客に膝を曲げて覗き込む姿勢を強いることになる。
【０００７】
更に、陳列棚装置は、商品の高さ寸法に応じて、上下段の棚部材の上下間隔を変更できることが好ましいが、背板部を設けた棚板部材においては、背板部の高さ寸法以下に上下間隔を小さくすることができないという問題がある。
【０００８】
【課題を解決するための手段】
本発明は、左右に配置された両側壁体の間に着脱自在な支持ピンを介して棚部材を架設し、複数の棚部材を上下に配置せしめた商品陳列棚装置において、両側壁体の少なくとも上下方向中途部よりも下方に位置する脚台部の間に棚部材を架設するに際し、下段になればなるほど棚部材の棚板部が後傾姿勢となるように構成することを第一の目的とする。
【０００９】
このような上下段において変化する後傾姿勢は、商品陳列棚装置の正面前方に中心Ｏを有する円弧を仮想したとき、左右の脚台部の間に架設される棚部材が、常に棚面を前記中心Ｏに向かうような後傾姿勢に設置されるときに最適な状態を形成し、前述したような商品の視認容易性と取出容易性の観点から、人間工学的に最良の結果をもたらすことが知見された。従って、本件発明は、棚部材を左右の脚台部の間に架設したとき、上下段に配置される棚部材のそれぞれが、常に自動的に棚面を前記中心Ｏに向かわしめる後傾姿勢で取付けられるように構成することを第二の目的とする。
【００１０】
この際、本発明は、脚台部に架設された棚部材を下段になればなるほど正面側に迫り出すように配置することにより、顧客が起立姿勢で目線を下向きにして下段の棚部材に載置された商品を容易に視認することができるように構成することを第三の目的とする。
【００１１】
更に、本発明は、背板部を備えた棚部材でありながら、上下段の棚部材の上下間隔が該背板部の高さ寸法よりも小さい間隔となるまで変更可能となるように構成することを第四の目的とする。
【００１２】
そこで、本発明手段として構成したところは、左右に配置された両側壁体の間に着脱自在な支持ピンを介して棚部材を架設し、複数の棚部材を上下に配置せしめた商品陳列棚装置において、両側壁体は、少なくとも上下方向中途部よりも下方に位置する脚台部の正面向きの前縁面に、上向きに傾斜するように該商品陳列棚装置の正面前方に中心Ｏを有する円弧面を形成し、両側壁体における脚台部の相対向する内側面に、前記中心Ｏから半径Ｒ１とする前側円弧ラインＦＣに沿って等間隔で列設された前側制御孔から成る前側孔弧列を形成すると共に、前記中心Ｏから半径Ｒ２（但しＲ１＜Ｒ２）とする後側円弧ラインＲＣに沿って等間隔で列設された後側制御孔から成る後側孔弧列を形成しており、棚部材は、両側壁体の間で水平に延びる棚板部と、該棚板部の後縁近傍部から起立せしめられた背板部を有し、棚板部の下部に前側支持部を設けると共に、背板部の背部に後側支持部を設けており、脚台部の前側孔弧列と後側孔弧列の相互配列関係は、棚部材の前側支持部を前側孔弧列の所定の前側制御孔に支持ピンを介して支持せしめたとき、棚板部の棚面を前記中心Ｏに向かわしめる後傾姿勢とした状態で、該棚部材の後側支持部が後側孔弧列の所定の１つの後側制御孔にだけ支持ピンを介して支持せしめられるように構成されて成る点にある。
【００１３】
本発明の実施形態において、それぞれ棚面が前記中心Ｏに向かうようにして取付けることにより棚板部を上下に間隔をあけて配置された複数段の棚部材は、上段の棚部材の背板部の下部が下段の棚部材の背板部の上部よりも前方に位置するように、棚部材の棚板部と背板部の角度θが９０度以下に形成されている。
【００１４】
また、両側壁体の脚台部から上方に延びる柱部の相対向する内側面に、前側孔弧列から鉛直線に沿って等間隔で列設された前孔から成る前側孔直列を形成すると共に、後側孔弧列から鉛直線に沿って等間隔で列設された後孔から成る後側孔直列を形成しており、柱部の前側孔直列と後側孔直列の相互配列関係は、棚部材の前側支持部を前側孔直列の所定の前孔に支持ピンを介して支持せしめたとき、棚板部の棚面を水平姿勢とした状態で、該棚部材の後側支持部が後側孔直列の所定の１つの後孔にだけ支持ピンを介して支持せしめられる。
【００１５】
更に、前側孔弧列を構成する前側制御孔の各孔と、後側孔弧列を構成する後側制御孔の各孔は、支持ピンのネック部を嵌入せしめる径小孔の上側に径大孔を連通連設せしめたダルマ形の孔を構成すると共に、径大孔の中心と径小孔の中心を鉛直線上に配置している。
【００１６】
【発明の実施の形態】
以下図面に基づいて本発明の好ましい実施形態を詳述する。
【００１７】
（全体構成）
図１に示すように、商品陳列棚装置１は、左右に起立配置された両側壁体２、２を図示省略した連結バーにより連結した構成とされ、背面を化粧パネル３により被うと共に、該化粧パネル３を介して両側壁体２、２を連結し剛体化せしめるように構成されている。両側壁体２、２の間には、着脱自在な前側の支持ピン４ａと後側の支持ピン４ｂを介して棚部材５が架設され、多数の棚部材５を上下に配置せしめた構成とされている。尚、両側壁体２、２は、それぞれ板金製の中空盤状に形成されている。
【００１８】
両側壁体２、２は、上下方向中途部よりも下方に位置する脚台部６と、該脚台部６から上方に延びる柱部７と、該柱部７の上部に連設された頭部８を構成し、脚台部６は、正面向きの前縁面６ａに、上向きに傾斜するような円弧面を形成しており、該円弧面は商品陳列棚装置１の正面前方に位置する中心Ｏにより規定される。このような円弧面は、脚台部６の前縁面６ａのみならず、柱部７の前縁面７ａ及び頭部８の前縁面８ａに連続して形成しても良いが、少なくとも脚台部６の前縁面６ａに形成すれば良い。図示実施形態の場合、柱部７の前縁面７ａには鉛直面が形成され、頭部８の前縁面８ａは、下向きに傾斜するような円弧面を形成しているが、該円弧面は前記中心Ｏにより規定される必要はなく、また、図示のような構成に限定されるものではない。
【００１９】
両側壁体２、２の頭部８、８の間には、板金製の中空盤状等に形成された表示盤９が架設されている。該表示盤８は、液晶やプラズマ等による薄型パネルとされたディスプレイ装置を取付けたり、ポスター等の表示シートを貼着するために使用される。
【００２０】
（脚台部における孔列の構成）
図２（Ａ）に示すように、両側壁体２、２における脚台部６、６の相対向する内側面には、前記中心Ｏから半径Ｒ１とする仮想の前側円弧ラインＦＣに沿って等間隔で列設された前側制御孔１０ａから成る前側孔弧列１０Ａが形成されると共に、前記中心Ｏから半径Ｒ２（但しＲ１＜Ｒ２）とする仮想の後側円弧ラインＲＣに沿って等間隔で列設された後側制御孔１１ａから成る後側孔弧列１１Ｂが形成されている。即ち、図示実施形態の場合、前記中心Ｏにより同心状の円弧を描くように、それぞれ半径Ｒ＜Ｒ１＜Ｒ２により、前縁面６ａの円弧面と、前側円弧ラインＦＣと、後側円弧ラインＲＣが規定されている。然しながら、本発明において、前側円弧ラインＦＣと後側円弧ラインＲＣは相互に同心状であることを要する他、前縁面６ａの円弧面はこれとほぼ同心状であれば良く、中心を完全に一致せしめることを要しない。
【００２１】
前側円弧ラインＦＣに沿って前側孔弧列１０Ａを構成する前側制御孔１０ａは、該ライン上で等間隔に配置されている。即ち、隣り合う前側制御孔１０ａ、１０ａの前記中心Ｏに対する角度間隔が等ピッチ、例えば、０．５度の角度間隔に設定されている。同様に、後側円弧ラインＲＣに沿って後側孔弧列１１Ａを構成する後側制御孔１１ａは、該ライン上で等間隔に配置され、隣り合う前側制御孔１１ａ、１１ａの前記中心Ｏに対する角度間隔を等ピッチに設定すると共に、前側制御孔１０ａ、１０ａの角度間隔（前例では０．５度）と等しくなるように設定されている。
【００２２】
（柱部における孔列の構成）
図２（Ｂ）に示すように、両側壁体２、２における柱部７、７の相対向する内側面には、上述した前側孔弧列１０から鉛直線に沿って等間隔で列設された前孔１０ｂから成る前側孔直列１０Ｂを形成すると共に、後側孔弧列１１Ａから鉛直線に沿って等間隔で列設された後孔１１ｂから成る後側孔直列１１Ｂが形成されている。
【００２３】
（棚部材の構成）
棚部材５は、図６及び図７に示すように、板金製の断面ほぼＬ形の板部材から成り、両側壁体２、２の間で水平に延びる棚板部１２と、該棚板部１２の後縁近傍部から起立せしめられた背板部１３を備えている。棚板部１２は、前縁近傍部に上向きの溝型部１２ａを形成し、棚板部１２の下部に溝型部１２の背部により形成されたほぼＬ形折曲部を介して前側支持部１４を構成している。また、背板部１３は、上縁から後方に折返部１３ａを延設し、該折返部１３ａにより形成された下向きの溝部により後側支持部１５を構成している。この際、棚部材５は、棚板部１２と背板部１３の折曲された内角の角度θを９０度以下（図例の場合は９０度）に形成している。尚、図示省略しているが、棚板部１２及び／又は背板部１３には、商品仕切用の仕切板等を挿脱自在に挿着可能とするスリット等が形成されている。
【００２４】
（支持ピンと各孔の構成）
前側孔弧列１０Ａ及び後側孔弧列１１Ａを構成する前側制御孔１０ａ及び後側制御孔１１ａは、それぞれ、図７に示すように、径小孔１６の上側に径大孔１７を連通連設せしめたダルマ形の孔を構成し、径大孔１７の中心と径小孔１６の中心を鉛直線上に配置している。従って、それぞれの前側制御孔１０ａ及び後側制御孔１１ａは、円弧ラインＦＣ及びＲＣに沿って配置されることにより、孔群として前側孔弧列１０Ａ及び後側孔弧列１１Ａを構成するが、各１個宛の孔は、全て、径大孔１７と径小孔１６の中心を鉛直線上で上下に配置している。このようにして、全ての前側制御孔１０ａは、径小孔１６の中心を前側円弧ラインＦＣの上に配置せしめ、全ての後側制御孔１１ａは、径小孔１６の中心を後側円弧ラインＲＣの上に配置せしめている。尚、図示省略しているが、柱部７において前側孔直列１０Ｂを構成する前孔１０ｂ及び後側孔直列１１Ｂを構成する後孔１１ｂも、図７に示した前側制御孔１０ａ及び後側制御孔１１ａと同様に、径小孔１６の上側に径大孔１７を連通連設せしめたダルマ形の孔を構成し、径大孔１７の中心と径小孔１６の中心を鉛直線上で上下に配置した構成とされている。即ち、前側制御孔１０ａ、後側制御孔１１ａ、前孔１０ｂ、後孔１１ｂは、全て、同形同寸に形成されている。
【００２５】
支持ピン４は、前述した前側制御孔１０ａ、後側制御孔１１ａ、前孔１０ｂ、後孔１１ｂに着脱自在に挿着せしめるように構成されている。このため、支持ピン４は、図７に示すように、径大孔１７に挿入自在なフランジ部１８と、棚部材５を支持する支持軸部１９との間に、径小孔１６に嵌入自在なネック部２０を備えたものとして一体に形成されている。従って、フランジ部１８を径大孔１７に挿入した状態で支持ピン４を下向きに移動せしめ、ネック部２０を径小孔１６に嵌入せしめれば、支持ピン４が抜止状態で挿着される。そして、前述のように、全ての孔に関して、径大孔１７と径小孔１６が鉛直線上で上下に配置されているので、挿着された支持ピン４のネック部２０が常に径小孔１６の孔底（円弧縁）を下方から好適に支持される。尚、前述の挿着方法と反対の作業を行えば、支持ピン４を孔から抜き取ることができる。
【００２６】
（脚台部における棚部材の標準的な取付態様）
脚台部６、６の間に架設される棚部材５は、全て、棚板部１２の棚面を前記中心Ｏに向かわしめる後傾姿勢とした状態で取付けられる。即ち、図３に示すように上下段の棚部材５を標準的な上下間隔で配置した場合、図示の下段に配置された棚部材５−１は、前側孔弧列１０Ａから選ばれた所定の前側制御孔１０ａ−１に挿着した前側の支持ピン４ａにより前側支持部１４を支持された状態で、後側支持部１５を後側孔弧列１１Ａのうちの所定の１つの後側制御孔１１ａ−１とだけ合致せしめられるので、該後側制御孔１１ａ−１に挿着した後側の支持ピン１４ｂにより該後側支持部１５を支持される。そして、この状態において、棚部材５−１は、棚面を前記中心Ｏに向かわしめる後傾姿勢角度Ｐ１とするように保持される。
【００２７】
また、図示の上段に配置された棚部材５−２は、前側孔弧列１０Ａから選ばれた所定の前側制御孔１０ａ−２に挿着した前側の支持ピン４ａにより前側支持部１４を支持された状態で、後側支持部１５を後側孔弧列１１Ａのうちの所定の１つの後側制御孔１１ａ−２とだけ合致せしめられるので、該後側制御孔１１ａ−２に挿着した後側の支持ピン１４ｂにより該後側支持部１５を支持される。そして、この状態において、棚部材５−２は、棚面を前記中心Ｏに向かわしめる後傾姿勢角度Ｐ２とするように保持される。
【００２８】
更に、図３の最上段に配置された棚部材５−３も同様にして棚面を前記中心Ｏに向かわしめる後傾姿勢角度Ｐ３とするように保持される。そして、上下に配設された棚部材５の棚板部１２の前縁部は、脚台部６円弧状の前縁面６ａに沿わしめられるので、上段の棚部材５−３から下段の棚部材５−２、５−１が次第に正面側に迫り出すように配置される。
【００２９】
（脚台部において棚部材の上下間隔を狭めた取付態様）
図３に示す標準的な取付態様において、上段の棚部材５−２の背板部１３の下端を含む下部は、下段の棚部材５−１の背板部１３の上端部を含む上部よりも前方に位置せしめられている。従って、上下段に配設される棚部材５、５は、図４及び図５に示すように、棚板部１２、１２の間隔が背板部１３の高さ寸法よりも小さい上下間隔となるように取付けることが可能である。
【００３０】
即ち、図４及び図５に示す図例の場合、下段の棚部材５−１１は、前側孔弧列１０Ａのうちの所定の前側制御孔１０ａ−１１に挿着した支持ピン４ａにより前側支持部１４を支持され、後側支持部１５を後側孔弧列１１Ａから必然的に１つだけ決定される所定の後側制御孔１１ａ−１１に挿着した支持ピン１４ｂにより支持され、この状態で棚面を前記中心Ｏに向かわしめる後傾姿勢角度Ｐ１１とするように保持される。これに対し、中段の棚部材５−１２は、標準的な取付態様の場合よりも狭い間隔Ｓで配置され、所定の前側制御孔１０ａ−１２と支持ピン４ａにより前側支持部１４を支持され、必然的に１つだけ決定される所定の後側制御孔１１ａ−１２と支持ピン１４ｂにより後側支持部１５を支持され、この状態で棚面を前記中心Ｏに向かわしめる後傾姿勢角度Ｐ１２とするように保持される。このようにして上下多段状に配設された棚部材５は、図示のように、下段の棚部材５−１１の背板部１３に対して、中段の棚部材５−１２の背板部１３が干渉することなく前側にオーバラップせしめられている。
【００３１】
同様にして、同じ間隔Ｓの下で、上段の棚部材５−１３、最上段の棚部材５−１４が取付けられ、それぞれ棚面を前記中心Ｏに向かわしめる後傾姿勢角度Ｐ１３、Ｐ１４とするように保持される。
【００３２】
（柱部における棚部材の取付態様）
図８は、柱部７、７の間に架設された棚部材５を示している。上述の通り、前孔１０ｂにより構成された前側孔直列１０Ｂと、後孔１１ｂにより構成された後側孔直列１１Ｂは、何れも、鉛直線上に配置されている。従って、棚部材５は、棚板部１２が棚面を奥行き方向に関して水平姿勢ＨＰとする状態でのみ取付けられる。即ち、柱部７、７に架設される棚部材５は、棚板部１２の前側支持部１４を前側孔直列１０Ｂの選択された所定の前孔１０ｂに支持ピン４ａを介して支持せしめられ、後側支持部１５をこれと合致せしめられる後側孔直列１１Ｂのうちの１つの後孔１１ｂに支持ピン４ｂを介して支持せしめられ、この状態で、棚板部１２の棚面を水平姿勢ＨＰに保持される。尚、棚部材５の背板部１３に設けた後側支持部１５は、折返部１３ａにより形成される溝幅を支持ピン４ｂの支持軸部１９の外径よりも若干だけ大きくなるようなクリアランスを形成しておけば、該クリアランスを背板部１３の肉厚寸法よりも大きく形成することにより、上下多段状に配設される棚部材５、５を相互に背板部１３の高さ寸法以下の間隔で配設することが可能になる。即ち、上段の棚部材５の背板部１３が下段の棚部材５の背板部１３の前側にオーバラップするように配置することができる。
【００３３】
上記実施形態の商品陳列棚装置１は、正面側に棚部材５を多段状に配設し、背面側を化粧パネル３により被った構成としたが、図９に示すように、正面側と背面側の両面に棚部材５を配設した構成としても良い。この場合、図示のように、左右の両側壁体２、２は、背面側を前述した正面側と同一に構成される。
【００３４】
【発明の効果】
本発明によれば、左右に配置された両側壁体２、２の間に着脱自在な支持ピン４を介して棚部材５を架設し、複数の棚部材５、５を上下に配置せしめた商品陳列棚装置において、両側壁体２、２の少なくとも上下方向中途部よりも下方に位置する脚台部６、６の間に架設される棚部材５、５が下段になればなるほど棚板部１２の棚面を後傾姿勢となるように取付けられるので、顧客が商品を視認し易く、しかも、取出し易いものとなる。
【００３５】
そして、上下段において変化する棚面の後傾姿勢は、商品陳列棚装置の正面前方に中心Ｏを有する円弧を仮想したとき、左右の脚台部６、６の間に架設される棚部材５が、常に棚面を前記中心Ｏに向かうような後傾姿勢の下で取付けられるので、前述したような商品の視認容易性と取出容易性が人間工学的に最良の結果を生成する。特に、本発明によれば、前側孔弧列１０Ａを構成する前側制御孔１０ａと、後側孔弧列１１Ａを構成する後側制御孔１１ａの特徴的配列により、棚部材５を左右の脚台部６、６の間に架設したとき、上下段に配置される棚部材５、５のそれぞれが、角度調整を行わなくても、常に自動的に、棚面を前記中心Ｏに向かわしめる後傾姿勢Ｐ１、Ｐ２、Ｐ３となるように取付けられるという利点がある。
【００３６】
しかも、本発明によれば、脚台部６の前縁面６ａと共に棚部材５が下段になればなるほど正面側に迫り出すように配置されるので、顧客が起立姿勢で目線を下向きにして視認する際、下段の棚部材５−１が上段の棚部材５−２により隠れることがなく、商品を容易に視認せしめることができる。
【００３７】
更に、本発明によれば、背板部１３を備えた棚部材５でありながら、上下段の棚部材５、５の上下間隔Ｓを該背板部１３の高さ寸法よりも小さい間隔となるように変更可能であり、背丈の異なる商品に対応できる利点がある。
【図面の簡単な説明】
【図１】商品陳列棚装置の１実施形態を示す斜視図である。
【図２】１実施形態に係る商品陳列棚装置の縦断面図であり、（Ａ）は脚台部と柱部の一部を示す縦断面図、（Ｂ）は柱部の一部と頭部を示す縦断面図である。
【図３】脚台部における棚部材の標準的な取付態様を示す縦断面図である。
【図４】脚台部において棚部材の上下間隔を狭めた取付態様を示す縦断面図である。
【図５】脚台部に棚部材を取付けた状態を示す斜視図である。
【図６】脚台部と棚部材との関係を示す斜視図である。
【図７】前側制御孔及び後側制御孔と棚部材との関係を示す斜視図である。
【図８】柱部における棚部材の取付態様を示す縦断面図である。
【図９】本発明の別の実施形態を示す斜視図である。
【符号の説明】
１    陳列棚装置
２    側壁体
４（４ａ、４ｂ）  支持ピン
５    棚部材
６    脚台部
６ａ  前縁面
７    柱部
７ａ  前縁部
１０Ａ  前側孔弧列
１０ａ  前側制御孔
１１Ａ  後側孔弧列
１１ａ  後側制御孔
１０Ｂ  前側孔直列
１０ｂ  前孔
１１Ｂ  後側孔直列
１１ｂ  後孔
１２    棚板部
１３    背板部
１４    前側支持部
１５    後側支持部
１６    径小孔
１７    径大孔
１８    フランジ部
１９    支持軸部
２０    ネック部
【図１】
2004236719.tif 000003
【図２】
2004236719.tif 000004
【図３】
2004236719.tif 000005
【図４】
2004236719.tif 000006
【図５】
2004236719.tif 000007
【図６】
2004236719.tif 000008
【図７】
2004236719.tif 000009
【図８】
2004236719.tif 000010
【図９】
2004236719.tif 000011